(57)【要約】【課題】  記録メディアから読み込んだ画像データの種類に応じて、判別してサムネイル画像の表示を可能とする画像出力装置等を提供する。【解決手段】  画像出力装置１０１は、記録メディア１２３からの画像データを読み込み、画像データのサムネイル画像７０２を表示する場合、サムネイル表示画面７００に、画像データに付随して読み込んだ画像管理情報に基づいて、サムネイル画像７０２と共に、画像データの種類に応じてデジタルカメラ撮影データマーク７０３やカメラ付き携帯撮影データマーク７０４等の判別マークを付加して表示したり、「デジタルカメラ画像一覧表示」ボタン７１１、「カメラ付き携帯画像一覧表示」ボタン７１２等により画像データの種類別に一覧表示する。【選択図】  図７
2006060662.tif 000002
【特許請求の範囲】
【請求項１】
画像データを入力する画像入力手段と、
前記画像データを縮小したサムネイル画像を表示するサムネイル表示手段と、
前記画像データを印刷する印刷出力手段と、
を備える画像出力装置であって、
前記画像入力手段は、記録媒体から前記画像データを読み取ることにより、画像データを入力し、
前記サムネイル表示手段は、前記画像データの種類に応じて、サムネイル画像を判別表示することを特徴とする画像出力装置。
【請求項２】
前記画像データの種類は、デジタルカメラ撮影による画像データ、カメラ付き携帯電話撮影による画像データ、パーソナルコンピュータ編集による画像データ等の少なくとも１つ以上であることを特徴とする請求項１記載の画像出力装置。
【請求項３】
前記画像データの種類は、画像サイズ別、解像度別、カメラ機種別等のいずれかに基づいたものであることを特徴とする請求項１記載の画像出力装置。
【請求項４】
前記判別表示は、前記サムネイル画像と共に、前記画像データの種類の判別標記を表示することを特徴とする請求項１記載の画像出力装置。
【請求項５】
前記判別標記は、前記画像データの種類に応じた、判別マーク、判別マークの色、フレームの色、フレームの形等のいずれかで示すことを特徴とする請求項４記載の画像出力装置。
【請求項６】
前記判別表示は、指定された前記画像データの種類に該当するサムネイル画像を表示することを特徴とする請求項１記載の画像出力装置。
【請求項７】
前記画像入力手段は、記録媒体から前記画像データを読み取る記録媒体読取手段を有することを特徴とする請求項１記載の画像出力装置。
【請求項８】
前記画像入力手段は、更に、各前記画像データに対応する画像管理情報を入力することを特徴とする請求項１記載の画像出力装置。
【請求項９】
前記サムネイル表示手段は、
前記画像管理情報に応じて、前記画像データの種類を判別することを特徴とする請求項８記載の画像出力装置。
【請求項１０】
前記画像管理情報は、メーカー情報を含むことを特徴とする請求項８、又は請求項９記載の画像出力装置。
【請求項１１】
コンピュータを請求項１から請求項１０までのいずれかに記載の画像出力装置として機能させるプログラム。
【請求項１２】
コンピュータを請求項１から請求項１０までのいずれかに記載の画像出力装置として機能させるプログラムを記録した記録媒体。
【発明の詳細な説明】
【技術分野】
【０００１】
本発明は、持参した記録メディアに記録されている画像データ、装置に予め保存してある画像等を合成編集してプリントできる画像プリントシステム等に係り、サムネイル画像を表示するサムネイル表示機能に関する。
【背景技術】
【０００２】
デジタルカメラ等で撮影した画像は、従来のように写真店にフィルムを持ち込んで印刷してもらうのでなく、パソコンやプリンタなどを用いて自宅でプリントすることが可能である。また、既にプリントされた写真もスキャナー等で読み取り、焼き増し、引き延ばしなどを行うことができる。
【０００３】
ところが、撮影した画像をより美しく、様々な工夫を凝らして加工したいという要求が存在する一方で、デジタルカメラ、パソコン、プリンタ、スキャナー等の電子機器は進歩が速く、次々に性能の高い新製品が売り出されるため、個人が常に、最高級のプリント作成を行うことは難しく、また撮影された画像と合成するフレーム画像等の副画像も、個人では利用可能なものには限界が有る。
【０００４】
そこで、カメラ店等の店舗に設置された、比較的小さなスペースに設置することが可能な画像出力装置である、デジタルフォトプリント装置により、画像が記録された記録メディアや、既にプリントされた写真を持ちこんで、フレーム画像等を合成したりしてプリントする方法がある（デジタルフォトプリントシステム、例えば、［特許文献１］、［非特許文献１］参照）。
【０００５】
また、昨今では、カメラ付き携帯電話が普及し、デジタルカメラや携帯電話付属のカメラで共用して使える記録メディアも幾つか存在し、画像入力手段や記録メディアの種類が多様化している。
【０００６】
【特許文献１】特開２００２−４６３２４号公報（第１８頁段落番号［０１４５］、図５〜図１０）
【特許文献２】特開平９−１８９９号公報
【非特許文献１】大日本印刷株式会社、“デジカメプリントのすすめ”、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００７】
しかしながら、従来のデジタルフォトプリント装置では、撮影した画像の保存された記録メディアを利用者がリーダーに差し込み、その画像のサムネイルを複数画像表示するのが一般的であるが、カメラ付き携帯電話、デジタルカメラ等で撮影した複数種類の画像データが同じ記録メディアに保存されると、複数種類の画像データが同じサムネイル内に混在して表示される。カメラ付き携帯電話と、デジタルカメラとでは、撮影した画像データの解像度が異なるが、縮小して表示するサムネイル表示では、解像度がわからず、いずれがカメラ付き携帯電話撮影による画像／デジタルカメラ撮影による画像であるか判断がつかず、利用者を混乱させるという問題があった。更に、混在したままプリント指示すると、カメラ付き携帯電話と、デジタルカメラとの撮影した画像データとでは、プリント物の仕上がりに、差が出てしまうという問題があった。
【０００８】
本発明は、以上の問題点に鑑みてなされたものであり、記録メディアから読み込んだ画像データの種類に応じて、判別してサムネイル画像の表示を可能とする画像出力装置等を提供することを目的とする。
【課題を解決するための手段】
【０００９】
前述した目的を達成するために第１の発明は、画像データを入力する画像入力手段と、前記画像データを縮小したサムネイル画像を表示するサムネイル表示手段と、前記画像データを印刷する印刷出力手段と、を具備する画像出力装置であって、前記画像入力手段は、記録媒体から前記画像データを読み取ることにより、画像データを入力し、前記サムネイル表示手段は、前記画像データの種類に応じて、サムネイル画像を判別表示することを特徴とする画像出力装置である。
【００１０】
また、前記判別表示は、前記サムネイル画像と共に、前記画像データの種類の判別標記を表示することが望ましい。
また、前記判別表示は、指定された前記画像データの種類に該当するサムネイル画像を表示することが望ましい。
また、前記画像入力手段は、記録媒体から前記画像データを読み取る記録媒体読取手段を有することが望ましい。
また、前記画像入力手段は、更に、各前記画像データに対応する画像管理情報を入力することが望ましい。
また、前記サムネイル表示手段は、前記画像管理情報に応じて、前記画像データの種類を判別することが望ましい。
【００１１】
第１の発明では、画像出力装置は、記録媒体から画像データを読み取ることにより、画像データを入力し、画像データの種類に応じて、サムネイル画像を判別表示する。
【００１２】
「サムネイル画像」は、記録メディアから読み込んだ画像データを縮小した画像であり、モニタ画面に複数配置する。
「画像管理情報」は、記録メディアから読み込んだ各画像データに付随する情報であり、撮影日時、ファイル名、フォルダ名、メーカー情報等である。
「画像データの種類」は、デジタルカメラ撮影による画像データ、カメラ付き携帯電話撮影による画像データ、パーソナルコンピュータ編集による画像データ等いずれかである。また、画像サイズ別、解像度別、カメラ機種別等のいずれかに基づいた種類である。
「判別表示」は、サムネイル画像と共に、画像データの種類の判別標記である判別マーク、フレームの色、フレームの形等のいずれかを表示したり、指定された画像データの種類に該当するサムネイル画像のみを一覧表示する。
「判別標記」は、前記画像データの種類に応じた、判別マーク、判別マークの色、フレームの色、フレームの形等のいずれかで示す。
【００１３】
第２の発明は、コンピュータを第１の発明の画像出力装置として機能させるプログラムである。
第３の発明は、コンピュータを第１の発明の画像出力装置として機能させるプログラムを記録した記録媒体である。
【００１４】
上述のプログラムをＣＤ−ＲＯＭ等の記録媒体に保持させて流通させてもよいし、このプログラムを通信回線を介して送受することもできる。
【発明の効果】
【００１５】
本発明は、記録メディアから読み込んだ画像データの種類に応じて、判別してサムネイル画像の表示を可能とする画像出力装置等を提供することができる。
【発明を実施するための最良の形態】
【００１６】
以下、添付図面を参照しながら、本発明に係る画像プリントシステム等の好適な実施形態について詳細に説明する。なお、以下の説明及び添付図面において、略同一の機能構成を有する構成要素については、同一の符号を付することにより重複説明を省略することにする。
【００１７】
最初に、図１を参照しながら、本発明の実施の形態に係る画像プリントシステム１００の構成について説明する。
図１は、画像プリントシステム１００の構成を示すブロック図である。
【００１８】
図１は、画像プリントシステムの１例であり、図１に示すように、画像プリントシステム１００は、画像出力装置１０１等により実現される。
画像出力装置１０１は、画像データ読込書込手段１１１、画像編集合成手段１１２、素材データベース（素材ＤＢ）１１３、プリント手段１１４、注文内容入力手段１１５、課金手段１１６等を備える。
【００１９】
画像データ読込書込手段１１１は、被写体１２１をデジタルカメラ等の撮像装置により撮像したり、原稿１２２をスキャナ装置等の原稿読取装置により読み取ったり、予め画像データが記録された記録メディア１２３から読み取ることにより、画像データを取得し、画像データの種類に応じて、サムネイル表示する。また、画像データ読込書込手段１１１は、画像出力装置１０１が作成した画像データを記録メディア１２３に記録することもできる。
記録メディア１２３は、例えば、スマートメディア、コンパクトフラッシュ（登録商標）カード（ＣＦカード）、ＳＤカード、ミニＳＤカード、メモリースティック、フロッピー（登録商標）ディスク、ＰＣカード、ＣＤ−ＲＯＭ等である。ＳＤカード、ミニＳＤカード等は、デジタルカメラと、カメラ付き携帯電話で、共用して使用できる記録メディアである。
【００２０】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インターフェース手段と画像処理プログラムで構成される。加工や合成編集に扱う画像データとしては、素材データベース１１３に存在する素材画像データ、フレーム画像データ等を用いることもできる。
【００２１】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、はがき等である。
【００２２】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合には、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定などがある。尚、利用者は、画像を出力する前に、１つ以上の画像データを指定して加工および合成編集することができる。
【００２３】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２４】
次に、図２を参照しながら、画像出力装置１０１の外観構成について説明する。
図２は、画像出力装置１０１の外観斜視図である。
【００２５】
画像出力装置１０１の上段部正面には、タッチパネル付きモニタ等であるモニタ画面２０１が配置されている。モニタ画面２０１は、操作の案内や、操作の状況や、読み取った画像或いは編集加工した画像等を表示する表示手段としての機能を発揮する。
【００２６】
モニタ画面２０１の画面の下には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体を撮像するためのレンズ窓２０４が設置される。これらのメディア挿入口２０２、スキャナ面２０３、レンズ窓２０４は、画像データ読込書込手段１１１の一部を構成する。
【００２７】
メディア挿入口２０２は、各種メディア（スマートメディア、コンパクトフラッシュ（登録商標）カード（ＣＦカード）、ＳＤカード、ミニＳＤカード、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００２８】
また、画像出力装置１０１の筐体内には上記各記録メディアの挿入口に対応して、それぞれの読取書込装置の本体が設置されている。各挿入口には、データの読み込みを完了するまで記録メディアを取り出せないように、シャッタ（図示しない）を備えても良い。
【００２９】
画像出力装置１０１の下段部には、料金投入口（硬貨投入口２０５、紙幣挿入口２０６）、返却レバー２０７、返却口２０８、レシート取出口２０９、プリント物取出口２１０、スピーカ２１１、メンテナンスキー２１２、ドア開閉キー２１３等がそれぞれ配置されている。
【００３０】
料金投入口（硬貨投入口２０５、紙幣挿入口２０６）、返却レバー２０７、返却口２０８、レシート取出口２０９は、課金手段１１６の一部を構成する。
顧客は、硬貨投入口２０５に硬貨を投入したり、紙幣挿入口２０６に紙幣を挿入することにより料金を支払う。釣銭がある場合には返却口２０８から放出されるので、それを受け取れる。また、注文を取りやめる場合や硬貨が詰まった時には硬貨返却レバー２０７を回すことにより返却口２０８から放出されるので、それを受け取れる。
料金を徴収した後、レシート取出口２０９から徴収した金額や注文内容が印刷されたレシートが放出される。
【００３１】
プリント物取出口２１０は、プリント手段１１４の一部を構成する。利用者は、タッチパネルボタンに触れるなどしてプリント実行を指示した後、プリント物取出口２１０から放出されるプリント物１２４を受け取る。
スピーカ２１１は、待機中や操作中に音声、ＢＧＭ、効果音などを再生する。
【００３２】
メンテナンスキー２１２は、利用者を受け付けることのできる通常の運転モードと、管理者が画像プリントシステムの設定やメンテナンスを行う管理モードを切り替えるキーである。
【００３３】
また、外観からは明確に認識できないが、ポスト型画像出力装置１０１の筐体内には、ポスト型画像出力装置１０１の各構成部分を制御するための制御部を含むパソコンや、電圧の変換を行う電源ボックス、停電時に制御部のＣＰＵやハードディスク等の破損を防ぐ無停電電源装置等が設置される。
【００３４】
次に、図３を参照しながら、画像出力装置１０１の概略構成について説明する。
図３は、画像出力装置１０１のハードウェア構成図である。
【００３５】
画像出力装置１０１は、制御部３０１、ハードディスク３０２、入出力部３０３（ＣＤ−ＲＯＭドライブ装置、キーボード、マウス等）、デジタルカメラ３０５、スキャナ３０６、各種メディア読取書込部３０７（１〜ｎ）、シャッタ３０８（１〜ｎ）、モニタ３０９（タッチパネル付き）、コインメック３１０、ビルバリ３１１、レシートジャーナル処理部３１２、プリンタ３１３等が、バス３１６を介して接続される。
【００３６】
制御部３０１は、ＣＰＵ、ＲＯＭ、ＲＡＭ等で構成され、大容量記憶媒体としてのハードディスク３０２に格納されたプログラムに従って、バス３１６を介して接続された各装置を駆動制御する。
【００３７】
ハードディスク３０２には、各構成部分を駆動制御するプログラム、例えば各記録メディア１２３に対応する読取書込プログラム、シャッタの開閉制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３等が格納されている。
【００３８】
これらの各プログラムコードは、制御部３０１により必要に応じて読み出されてＲＡＭに移され、ＣＰＵに読み出されて各種の手段として実行される。
【００３９】
入出力部３０３（ＣＤ−ＲＯＭドライブ装置、キーボード、マウス等）は、制御部３０１のＲＯＭやハードディスク３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４０】
デジタルカメラ３０５、スキャナ３０６、各種メディア読取書込部３０７（１〜ｎ）は、画像データ読込書込手段１１１に相当する。
シャッタ３０８は、記録メディア挿入口に設けられ、当該記録メディア挿入口を開閉し、読取処理の最中に記録メディアを取り出せないようにしたり、課金処理が完了するまで記録メディアを取り出せないようにすることができる。
【００４１】
モニタ３０９に表示された操作案内に従って、同モニタ３０９に表示されたタッチパネルボタンを選択し触れることにより、プリントモードの選択およびオリジナル画像データの読み込みから、加工、合成編集、プリント物１２４の出力までの一連の操作を行うことができる。
【００４２】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像の印刷出力処理を行う。
【００４３】
次に、図４を参照しながら、画像出力装置１０１の動作について説明する。
図４は、画像出力装置１０１の動作を示すフローチャートである。
【００４４】
画像出力装置１０１の制御部３０１は、サービスの内容、手順、案内等を示すメニュ画面を、モニタ３０９のモニタ画面２０１に表示し、利用者に機能選択させる。（ステップ４０１）。
【００４５】
制御部３０１は、各種メディア３０７、スキャナ３０６、デジタルカメラ３０５等のいずれかを介して、画像データを取得する（ステップ４０２）。利用者は、画像データの入力に際し、記録メディア１２３からの読み取り、スキャナからの読み取り、撮像装置（デジタルカメラ等）による被写体の撮像等の方法を選択する。
【００４６】
制御部３０１（画像処理プログラム）は、利用者の指示に基づいて、画像の加工、編集、合成等を行う（ステップ４０３）。画像の加工、編集、合成は、例えば、入力画像データ同士、フレーム画像、既存画像等の合成、塗色、文字入力、移動、拡大・縮小、はがきデータ作成等である。
【００４７】
制御部３０１は、利用者の注文内容（出力形態（写真プリント、シールプリント、インデックスプリント、はがきプリント等）、プリント枚数等）に応じて、課金処理、レシート発行処理を行う（ステップ４０４）。
【００４８】
制御部３０１（画像処理プログラム）は、色修正、リサイズ、トリミング、レイアウト、文字・ロゴ合成等の画像処理を行い（ステップ４０５）、画像処理した画像データをハードディスク３０２に保持し（ステップ４０６）、出力可能状態となったプリンタ装置に当該画像データを転送し、印刷処理を行う（ステップ４０７）。
【００４９】
画像プリントシステム１００の稼働を続ける場合（ステップ４０８のＮｏ）、制御部３０１は、ステップ４０１〜ステップ４０８までの処理を繰り返す。
【００５０】
次に、記録メディア１２３から画像を読み取る場合の画像の取得処理（ステップ４０２）について、詳しく説明する。デジタルカメラ、カメラ付き携帯電話等で撮影した画像や、パーソナルコンピュータで編集した画像を記録した記録メディア１２３から、画像データを読み取り、実画像データの通常の出力等を行う場合、複数の読み込んだ画像データを縮小したサムネイル画像を表示し、これらのサムネイル画像から画像選択を行い、プリント指定を行う。図５、図６は、記録メディア１２３から画像を読み取る場合の画像の取得処理を示すフローチャートである。
【００５１】
図５に示すように、制御部３０１は、メディア挿入口に挿入した記録メディア１２３から、画像データ、及びこれに付随する画像管理情報を読み込む（ステップ５０１）。画像管理情報は、撮影日時、ファイル名、フォルダ名、メーカー情報等である。メーカー情報は、撮影したカメラのメーカー情報であり、例えば、デジタルカメラメーカー名、カメラ付き携帯電話メーカー名等である。
【００５２】
制御部３０１は、読み込んだ画像データから、モニタ画面２０１に、サムネイル表示画面７００の一覧表示部画面７０１にサムネイル画像７０２を表示する（ステップ５０２）。
【００５３】
制御部３０１は、当該画像管理情報のメーカー情報に基づいて、当該画像データの種類を判断する（ステップ５０３）。
当該画像データがデジタルカメラ撮影データの場合（ステップ５０３のＹｅｓ）、すなわち当該画像管理情報のメーカー情報がデジタルカメラメーカーの識別情報である場合、制御部３０１は、デジタルカメラ撮影データマーク７０３を当該サムネイル画像７０２上に表示する（ステップ５０４）。
当該画像データがカメラ付き携帯電話撮影データの場合（ステップ５０３のＮｏ）、すなわち当該画像管理情報のメーカー情報がカメラ付き携帯電話メーカーの識別情報である場合、制御部３０１は、カメラ付き携帯電話撮影データマーク７０４を当該サムネイル画像７０２上に表示する（ステップ５０５）。
【００５４】
一覧表示画面７０１上にサムネイル画像７０２を表示するまで（ステップ５０６のＮｏ）、制御部３０１は、ステップ５０２からステップ５０６のサムネイル画像表示と画像データの種類に応じた判別マーク表示処理を繰り返す。
【００５５】
サムネイル表示画面７００上に適宜配列してサムネイル画像７０２を表示すると（ステップ５０６のＹｅｓ）、制御部３０１は、サムネイル表示画面７００の表示画像種類選択画面７１０、その他の制御ボタン群、制御メニュ等を表示する（ステップ５０７）。図７は、サムネイル表示画面７００を示す。
【００５６】
図７に示すように、サムネイル表示画面７００には、一覧表示画面７０１にサムネイル画像７０２が適宜配列される。サムネイル画像７０２上には、画像データの種類を示す判別マークが表示される。画像データの種類を示す判別マークは、デジタルカメラ撮影による画像データを示すデジタルカメラ撮影データマーク７０３、カメラ付き携帯電話撮影による画像データを示すカメラ付き携帯電話撮影データマーク７０４等がある。サムネイル画像７０２の数が多くて一画面に収まらない場合には、複数のページに分けて全てのサムネイル画像７０２が列挙される。「前のページ」ボタン７２１と「次のページ」ボタン７２２は、表示するページを前進後退させる。
【００５７】
表示画像種類選択画面７１０は、「デジタルカメラ画像一覧表示」ボタン７１１、「カメラ付き携帯画像一覧表示」ボタン７１２、「全ての画像一覧表示」ボタン７１４等を有する。「デジタルカメラ画像一覧表示」ボタン７１１は、デジタルカメラ撮影による画像データのサムネイル画像７０２のみを一覧表示画面７０１に表示する。「カメラ付き携帯画像一覧表示」ボタン７１２は、カメラ付き携帯電話撮影による画像データのサムネイル画像７０２のみを一覧表示画面７０１に表示する。「全ての画像一覧表示」ボタン７１４は、全ての画像データのサムネイル画像７０２を、画像データの種類に応じた判別マークと共に、一覧表示画面７０１に表示する。尚、本実施の形態では、サムネイル表示画面７００の省略値として、全ての画像のサムネイル画像の一覧表示を行う。
サムネイル表示画面７００の最下段には、「中止」ボタン７２３と「前画面へ戻る」ボタン７２４、「決定」ボタン７２５が設けられている。
【００５８】
図６に示すように、「デジタルカメラ画像一覧表示」ボタン７１１を押下すると（ステップ６０１のＹｅｓ）、制御部３０１は、読み込んだ画像データに対して、当該画像データがデジタルカメラ撮影データの場合（ステップ６０２のＹｅｓ）、すなわち当該画像管理情報のメーカー情報がデジタルカメラメーカーである場合、制御部３０１は、一覧表示画面７０１に当該画像データのサムネイル画像７０２を表示する（ステップ６０３）。
一覧表示画面７０１上にサムネイル画像７０２を表示するまで（ステップ６０４のＮｏ）、制御部３０１は、ステップ６０２からステップ６０４のサムネイル画像表示を繰り返す。一覧表示画面７０１上に適宜配列してサムネイル画像７０２を表示すると（ステップ６０４のＹｅｓ）、ステップ６０１に移行する。
【００５９】
「カメラ付き携帯画像一覧表示」ボタン７１２を押下すると（ステップ６０５のＹｅｓ）、制御部３０１は、読み込んだ画像データに対して、当該画像データがカメラ付き携帯電話撮影データの場合（ステップ６０６のＹｅｓ）、すなわち当該画像管理情報のメーカー情報がカメラ付き携帯電話メーカーである場合、制御部３０１は、一覧表示画面７０１に当該画像データのサムネイル画像７０２を表示する（ステップ６０７）。
一覧表示画面７０１上にサムネイル画像７０２を表示するまで（ステップ６０８のＮｏ）、制御部３０１は、ステップ６０６からステップ６０８のサムネイル画像表示を繰り返す。一覧表示画面７０１上に適宜配列してサムネイル画像７０２を表示すると（ステップ６０８のＹｅｓ）、ステップ６０１に移行する。
【００６０】
「全ての画像一覧表示」ボタン７１４を押下すると（ステップ６０９のＹｅｓ）、制御部３０１は、ステップ５０２に移行し、画像データのサムネイル画像７０２を、画像データの種類に応じた判別マークと共に、一覧表示画面７０１に表示する。
【００６１】
利用者は、一覧表示されたサムネイル画像７０２のなかからプリントしたい画像を選択し、プリント枚数を指定し、「決定」ボタン７２５をクリックすることにより、主画像として利用する画像を選択し、プリント指示を行う（ステップ６１０、６１１）。
【００６２】
尚、本実施の形態では、画像出力装置１０１の制御部３０１は、読み込んだ画像データに付随する画像管理情報に基づいて、サムネイル画像７０２と共に、デジタルカメラ撮影による画像データ、カメラ付き携帯電話撮影による画像データ等の画像データの種類に応じて判別マークを付加して表示したり、「デジタルカメラ画像一覧表示」ボタン７１１、「カメラ付き携帯画像一覧表示」ボタン７１２等により画像データの種類別に一覧表示したが、更に、パーソナルコンピュータ編集による画像データを画像管理情報に基づいて判別し、パーソナルコンピュータ編集データマークの判別マークを付加して表示したり、「パーソナルコンピュータ編集画像一覧表示」ボタンを表示画像種類選択画面７１０に追加し、パーソナルコンピュータ編集による画像データのみを一覧表示してもよい。
【００６３】
以上説明したように、本発明の実施の形態によれば、画像出力装置１０１は、記録メディア１２３からの画像データを読み込み、その画像データのサムネイル画像７０２を表示する場合、読み込んだ画像データに付随する画像管理情報に基づいて、サムネイル画像７０２と共に、画像データの種類（デジタルカメラ撮影による画像データ、カメラ付き携帯電話撮影による画像データ等）に応じて判別マークを付加して表示したり、「デジタルカメラ画像一覧表示」ボタン７１１、「カメラ付き携帯画像一覧表示」ボタン７１２等により画像データの種類別に一覧表示する。
【００６４】
これにより、記録メディア１２３に記録された複数種類の多数の画像に対して、サムネイル表示において、カメラ付き携帯電話撮影による画像／デジタルカメラ撮影による画像／パーソナルコンピュータ編集による画像等であるか判断可能となり、プリントしたい画像の選択が容易になり、プリントするための操作時間も短縮する。また、解像度、画像サイズ等の異なる画像の種類別のプリント指示により、画像の種類に応じたプリント物が容易に提供可能となる。
【００６５】
尚、本実施の形態では、画像データの種類として、デジタルカメラ撮影による画像データ、カメラ付き携帯電話撮影による画像データ等を判別したが、更に、画像サイズ、解像度、カメラ機種等に応じて、判別マークの色や形を変えて表示してもよい。
【００６６】
また、本実施の形態では、画像データの判別方法として、判別マークを付加して表示したが、判別マークだけでなく、画像の種類に応じて、サムネイル画像のフレームの色や形を変えて表示してもよい。
【００６７】
以上、添付図面を参照しながら、本発明にかかる画像プリントシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６８】
【図１】画像プリントシステム１００の構成を示すブロック図
【図２】画像出力装置１０１の外観斜視図
【図３】画像出力装置１０１のハードウェア構成図
【図４】画像出力装置１０１の動作を示すフローチャート
【図５】記録メディア１２３から画像を読み取る場合の画像の取得処理を示すフローチャート
【図６】記録メディア１２３から画像を読み取る場合の画像の取得処理を示すフローチャート
【図７】サムネイル表示画面７００を示す図
【符号の説明】
【００６９】
１００………画像プリントシステム
１０１………画像出力装置
１１１………画像データ読込書込手段
１１２………画像編集合成手段
１１３………素材データベース
１１４………プリント手段
１１５………注文内容入力手段
１１６………課金手段
１２３………記録メディア
３０１………制御部
３０２………ハードディスク
７０２………サムネイル画像
７０３………デジタルカメラ撮影データマーク
７０４………カメラ付き携帯電話撮影データマーク
７１１………「デジタルカメラ画像一覧表示」ボタン
７１２………「カメラ付き携帯画像一覧表示」ボタン
【図１】
2006060662.tif 000003
【図２】
2006060662.tif 000004
【図３】
2006060662.tif 000005
【図４】
2006060662.tif 000006
【図５】
2006060662.tif 000007
【図６】
2006060662.tif 000008
【図７】
2006060662.tif 000009